(57)【特許請求の範囲】
【請求項１】
それぞれ非磁性の材料で四角筒状に形成され、互いに対向する一側面である接合面間を開閉することにより、両接合面間に掲示シートを挟持、解放できるように互いに蝶着され、いずれか一方が車両の天井のような支持部材に固定される第１及び第２の挟持部材と、
前記第１の挟持部材上に、当該挟持部材の長軸方向に並び、かつ吸着平面を前記接合面に沿わせて支持される可動磁石片及び可動吸着鉄板と、
前記第２の挟持部材上に、当該挟持部材の長軸方向に並び、かつ各吸着平面を前記接合面に沿わせて、支持される固定磁石片及び固定吸着鉄板とを具備し、
可動磁石片と可動吸着鉄板は、前記第１の挟持部材の接合面に沿って挟持部材の長軸方向の吸着位置と反発位置との間を移動操作可能で、吸着位置において可動磁石片が前記第２の挟持部材上の固定吸着鉄板に対向してこれを磁気吸着し、反発位置において可動磁石片が第２の挟持部材上の固定磁石片に対向して磁気反発するように配置される広告挟持装置であって、
前記第１の挟持部材は、前記接合面を有する第１の側壁に開放する第１の開口と、当該側壁と対向する第２の側壁に開放する第２の開口とを具備し、
前記第１の挟持部材の可動磁石片と可動吸着鉄板は、第１の挟持部材の内側空洞内に、前記吸着位置と反発位置との間を移動自在に挿入される四角柱状で非磁性の摺動部材上に固定され、
前記第１の挟持部材の可動磁石片は、前記第１の開口から露出して吸着位置と反発位置との間を移動し、吸着位置において前記第２の挟持部材上の固定吸着鉄板と対向し、反発位置において第２の挟持部材上の固定磁石片と対向するように配置され、
前記第１の挟持部材の可動吸着鉄板は、吸着位置において前記第１の開口から露出して前記第２の挟持部材上の固定磁石片と対向し、反発位置において第１の側壁の内側に位置するように配置され、
前記第１の挟持部材の内側空洞内には、さらに前記第２の開口から外側へ突出する操作突起を有する四角柱状の操作部材が、前記摺動部材と一体に吸着位置と反発位置との間を移動自在に挿入され、
前記第２の挟持部材は、前記接合面を有する側壁に、前記第１の挟持部材の第１の開口と対向する第３の開口を具備し、
前記第２の挟持部材の固定久磁石片と固定吸着鉄板とは、第２の挟持部材の内側空洞内に固定される非磁性の支持部材上に固定され、前記第３の開口から露出するように配置されることを特徴とする広告挟持装置。
【発明の詳細な説明】
【技術分野】
【０００１】
この発明は、広告宣伝媒体である広告紙等を電車の天井などに吊り下げるための広告挟持装置に関する。
【背景技術】
【０００２】
電車内で天井に広告紙を吊り下げるために使用されるものとして、特許文献１に記載された広告バサミが知られている。この広告バサミは、少なくとも天板と側板とを有し、下方が開口した本体ケースと、その本体ケースに、本体ケースの側板と対面するように揺動自在に取り付けられた開閉板と、本体ケースの側板に沿ってスライド自在に設けられた操作部材と、開閉板または操作部材のうちいずれか一方に、Ｎ極およびＳ極がそれぞれ表側となる状態で隣接して配置された第１および第２マグネットと、開閉板または操作部材のうち他方に、操作部材のスライド操作に応じて第１または第２マグネットと選択的に対向するように設けられる第３マグネットとからなるものである。
【先行技術文献】
【特許文献】
【０００３】
【特許文献１】特開平８−１５６７８９号公報
【発明の概要】
【発明が解決しようとする課題】
【０００４】
この出願に係る発明は、機能を損なうことなく、構成部材をよりコンパクトに集約し、簡素な外観を呈すると共に、取り扱いが容易な広告挟持装置を提供することを目的としている。
【課題を解決するための手段】
【０００５】
以下、添付図面の符号を参照して説明するが、本発明はこれに限定されるものではない。
上記課題を解決するための、この出願に係る発明の広告挟持装置１は、互いの接合面２ａ、３ａ間を開閉できるように蝶着される第１及び第２の挟持部材２，３と、第１の挟持部材２上に支持される可動磁石片４及び可動吸着鉄板５と、第２の挟持部材３上に支持される固定磁石片６と固定吸着鉄板７とを具備する。第１の挟持部材２上の可動磁石片４と可動吸着鉄板５は、接合面２ａに沿って挟持部材２の長軸方向の吸着位置と反発位置との間を移動操作可能である。第１及び第２の挟持部材２，３は、それぞれ非磁性の材料で四角筒状に形成され、互いに対向する一側面である接合面２ａ、３ａ間を開閉することにより、両接合面間に掲示シートＳを挟持、解放できる。第１又は第２の挟持部材２，３いずれか一方が、車両の天井のような支持部材に固定される。第１の挟持部材２は、接合面２ａを有する第１の側壁２ｂに開放する第１の開口２ｃと、当該側壁と対向する第２の側壁２ｄに開放する第２の開口２ｅとを具備する。第１の挟持部材２の内側空洞２ｆ内に、四角柱状で非磁性の摺動部材９が、吸着位置と反発位置との間を移動自在に挿入される。可動磁石片４と可動吸着鉄板５が摺動部材９上に固定される。この可動磁石片４は、第１の開口２ｃから露出して吸着位置と反発位置との間を移動し、吸着位置において第２の挟持部材３上の固定吸着鉄板７と対向し、反発位置において第２の挟持部材３上の固定磁石片６と対向する。また、可動吸着鉄板５は、吸着位置において第１の開口２ｃから露出して第２の挟持部材３上の永久磁石片６と対向し、反発位置において第１の側壁２ｂの内側に位置する。第１の挟持部材３の内側空洞２ｆ内には、さらに四角柱状の操作部材１０が、摺動部材９と一体に移動自在に挿入される。操作部材１０は、第２の開口２ｅから外側へ突出する操作突起１０ａを有する。第２の挟持部材３は、接合面３ａを有する側壁３ｂに、第１の挟持部材２の第１の開口２ｃと対向する第３の開口３ｃを具備する。第２の挟持部材３の内側空洞内３ｄに非磁性の支持部材１１が固定される。この支持部材１１上に、固定磁石片６と固定吸着鉄板７とが固定され、第３の開口３ｃから露出する。
【発明の効果】
【０００６】
この出願に係る発明の装置によれば、機能を損なうことなく、構成部材をよりコンパクトに集約し、簡素な外観を呈すると共に、取り扱いが容易な広告挟持装置を提供することができる。
【図面の簡単な説明】
【０００７】
【図１】本発明の実施形態に係る広告挟持装置の正面図である。
【図２】図１の広告挟持装置の広告紙を挟持した状態の側面図である。
【図３】図１の広告挟持装置の平面図である。
【図４】図２におけるIV−IV矢視図である。
【図５】図２におけるV−V矢視図である。
【図６】（Ａ）は広告紙を挟持した状態の図１におけるVI−VI断面図、（Ｂ）は解放状態の同断面図である。
【図７】図６におけるVII部拡大図である。
【発明を実施するための形態】
【０００８】
図面を参照してこの発明の実施の形態を説明する。
広告挟持装置１は、互いの接合面２ａ、３ａ間を開閉できるようにヒンジ１２で蝶着される第１及び第２の挟持部材２，３と、第１の挟持部材２上に支持される可動磁石片４及び可動吸着鉄板５と、第２の挟持部材３上に支持される固定磁石片６と固定吸着鉄板７とを具備する。
【０００９】
第１の挟持部材２上の可動磁石片４と可動吸着鉄板５は、接合面２ａに沿って挟持部材２の長軸方向の吸着位置（図６Ａ）と反発位置（図６Ｂ）との間を移動操作可能である。
【００１０】
第１及び第２の挟持部材２，３は、それぞれアルミニウム角パイプのような非磁性の材料で四角筒状に形成され、互いに対向する一側面である接合面２ａ、３ａ間を開閉することにより、両接合面２ａ、３ａ間に広告紙のような掲示シートを挟持、解放できる。第１又は第２の挟持部材２，３いずれか一方が、車両の天井のような支持部材に固定される。図示の実施形態においては、第２の挟持部材３が、取り付け金具８を介して図示しない支持部材に固定される。
【００１１】
第１の挟持部材２は、接合面２ａを有する第１の側壁２ｂに開放する左右一対の第１の開口２ｃと、当該側壁と対向する第２の側壁２ｄの中央部に開放する第２の開口２ｅとを具備する。
【００１２】
第１の挟持部材２の内側空洞２ｆ内に、四角柱状で非磁性の摺動部材９が、吸着位置（図６Ａ）と反発位置（図６Ｂ）との間を移動自在に挿入される。可動磁石片４と可動吸着鉄板５が摺動部材９上に固定される。この可動磁石片５は、第１の開口２ｃから露出して吸着位置と反発位置との間を移動し、吸着位置において第２の挟持部材３上の固定吸着鉄板７と対向し、反発位置において第２の挟持部材上の固定磁石片６と対向する。また、可動吸着鉄板５は、吸着位置において第１の開口２ｃから露出して第２の挟持部材３上の永久磁石片６と対向し、反発位置においては第１の側壁２ｂの内側に位置する。
【００１３】
第１の挟持部材２の内側空洞２ｆ内には、さらに四角柱状の操作部材１０が移動自在に挿入される。操作部材１０は、アルミニウム製の連結棒１３によって摺動部材９と一体に結合される。操作部材１０は、第２の開口２ｅから外側へ突出する操作突起１０ａを有する。
【００１４】
第２の挟持部材３は、接合面３ａを有する側壁３ｂに、第１の挟持部材２の第１の開口２ｂと対向する一対の第３の開口３ｃを具備する。第２の挟持部材３の内側空洞３ｄ内に非磁性の支持部材１１が固定される。この支持部材１１上に、固定磁石片６と固定吸着鉄板７とが固定される。固定磁石片６と固定吸着鉄板７は、第３の開口から露出するように配置される。
【００１５】
しかして、図６（Ａ）に示すように、第１の挟持部材２の摺動部材９が吸着位置にあるとき、可動磁石片４が、第１の挟持部材２上の固定吸着鉄板７に対向することによってこれを吸着し、接合面２ａ、３ａ間に広告紙のような掲示シートＳを挟持する。図６（Ｂ）に示すように、第１の挟持部材２の摺動部材９が反発位置にあるとき、可動磁石片４が、第１の挟持部材２上の固定磁石片６に対向することによって反発し、接合面２ａ、３ａ間を開放する。開放状態で、接合面２ａ、３ａ間に掲示シートＳを挿入し、操作部材１０を図において右方へ移動させると、可動磁石片４が固定吸着鉄板７を吸着し、接合面２ａ、３ａ間を閉じて掲示シートＳを挟持する。
【符号の説明】
【００１６】
１    広告挟持装置
２    第１の挟持部材
２ａ  接合面
２ｂ  第１の側壁
２ｃ  第１の開口
２ｄ  第１の側壁
２ｅ  第２の開口
２ｆ  内側空胴
３    第２の挟持部材
３ａ  接合面
３ｂ  側壁
３ｃ  第３の開口
３ｄ  内側空胴
４    可動磁石片
５    可動吸着鉄板
６    固定磁石片
７    固定吸着鉄板
８    取り付け金具
９    摺動部材
１０  操作部材
１０ａ  操作突起
１１  支持部材
１２  ヒンジ
１３  連結棒
Ｓ    掲示シート
【図１】
0005379839.tif 000002
【図２】
0005379839.tif 000003
【図３】
0005379839.tif 000004
【図４】
0005379839.tif 000005
【図５】
0005379839.tif 000006
【図６】
0005379839.tif 000007
【図７】
0005379839.tif 000008